(57)【要約】【課題】  塵などの放散または落下が防止される灯体が回動可能な照明装置を提供する。【解決手段】照明装置１０は、上下方向に貫通孔２０を有する枠体１１と、光源４０を収容する筐体４１および筐体４１の下面側に光源４０からの光を出射する光出射部６１を有し、筐体４１が貫通孔２０内に水平方向の軸２７によって回動可能に支持された灯体１２と、貫通孔２４の内壁２４ａに周回に亘って設けられた第１のパッキン１３と、灯体１２の回動範囲において第１のパッキン１３に周回に亘って密接するとともに枠体１１から上方に突出するように灯体１２に設けられ、枠体１１と灯体１２との隙間を第１のパッキン１３とともに塞ぐ第２のパッキン１４と、を具備している。【選択図】図１
2016126836.tif 000002
【特許請求の範囲】
【請求項１】
上下方向に貫通孔を有する枠体と；
光源を収容する筐体およびこの筐体の下面側に前記光源からの光を出射する光出射部を有し、前記筐体が前記貫通孔内に水平方向の軸によって回動可能に支持された灯体と；
前記貫通孔の内壁に周回に亘って設けられた第１のパッキンと；
前記灯体の回動範囲において前記第１のパッキンに周回に亘って密接するとともに前記枠体から上方に突出するように前記灯体に設けられ、前記枠体と前記灯体との隙間を前記第１のパッキンとともに塞ぐ第２のパッキンと；
を具備していることを特徴とする照明装置。
【請求項２】
前記第１および第２のパッキンは、少なくとも一方が弾性を有して密接していることを特徴とする請求項１記載の照明装置。
【請求項３】
前記灯体は、前記筐体の上面側に設けられた複数の放熱フィンを有し、この放熱フィンの少なくとも基端側と前記第２のパッキンとの間に隙間が形成されるように前記第２のパッキンを設けていることを特徴とする請求項１または２記載の照明装置。
【発明の詳細な説明】
【技術分野】
【０００１】
本発明の実施形態は、灯体が回動して照射方向を調整可能な照明装置に関する。
【背景技術】
【０００２】
天井等に埋め込み設置される埋込形の照明装置には、灯体が装置本体内に水平軸を中心として鉛直方向に回動可能に設けられて、灯体からの光の照射方向を調整可能としたものがある。装置本体は、例えば有底の箱状に形成されている（例えば特許文献１参照。）。
【０００３】
照明装置は、灯体に収容される光源としてＬＥＤ（発光ダイオード）が用いられている。そして、照明装置は、ＬＥＤが所望の性能を出力するようにＬＥＤの温度上昇を抑制する対策が講じられている。上述の埋込形の照明装置には、装置本体が上下方向に貫通孔を有する枠構造に形成されて、貫通孔内に灯体を配設しているものがある（例えば特許文献２参照。）。この照明装置は、灯体の背面側に設けた放熱フィン等の放熱器によりＬＥＤに発生した熱を天井裏の空間に放出することができて、ＬＥＤの温度上昇を抑制可能である。
【先行技術文献】
【特許文献】
【０００４】
【特許文献１】特開２０１３−４２４９号公報（第３頁、第３図）
【特許文献２】特開２０１３−２４７０８６号公報（第４頁、第４図）
【発明の概要】
【発明が解決しようとする課題】
【０００５】
装置本体の貫通孔内において灯体が回動される照明装置は、灯体を回動可能とするために、装置本体と灯体との間に隙間が設けられている。このため、当該隙間を通じて天井裏から塵や埃などが放散または落下するおそれがある。また、照明装置を見上げたときに隙間を通して天井裏側の暗部が見えることがあり、当該隙間によって照明装置の外観を損なわせるおそれがある。
【０００６】
本発明は、塵などの放散等が防止される灯体が回動可能な照明装置を提供することを目的とする。
【課題を解決するための手段】
【０００７】
本実施形態の照明装置は、枠体、灯体、第１のパッキンおよび第２のパッキンを具備する。枠体は、上下方向に貫通孔を有する。灯体は、光源を収容する筐体と、筐体の下面側に光源からの光を出射する光出射部とを有している。そして、灯体は、筐体が枠体の貫通孔内に水平方向の軸によって回動可能に支持されている。
【０００８】
第１のパッキンは、枠体の貫通孔の内壁に、枠体の上下方向に対する周回に亘って設けられている。第２のパッキンは、灯体の回動範囲において第１のパッキンに周回に亘って密接するとともに枠体から上方に突出するように灯体に設けられている。そして、第２のパッキンは、枠体と灯体との隙間を第１のパッキンとともに塞いでいる。
【発明の効果】
【０００９】
本実施形態の照明装置によれば、灯体が回動されるときに、第２のパッキンが第１のパッキンに密接して第１のパッキン上を移動するので、灯体が回動されたときであっても第１および第２のパッキンが密接して枠体と灯体との隙間を塞ぐことが期待できる。
【図面の簡単な説明】
【００１０】
【図１】本発明の実施形態を示す照明装置の照射方向を直下方向とした概略断面図である。
【図２】同上、照明装置の照射方向を４５°傾けた概略断面図である。
【図３】同上、照明装置の分解状態の概略斜視図である。
【発明を実施するための形態】
【００１１】
以下、本発明の一実施形態について、図面を参照して説明する。
【００１２】
本実施形態の照明装置１０は、図１ないし図３に示すように、例えば天井部材に形成された埋込孔に埋め込み設置されるダウンライトである。照明装置１０は、枠体１１、灯体１２、第１のパッキン１３および第２のパッキン１４を有して構成されている。
【００１３】
図１において、枠体１１は、上下方向に貫通孔２０を有する略円筒状に形成されている。貫通孔２０の内壁２０ａは、反射面に形成されている。枠体１１の下端周辺部には、天井部材の埋込孔を隠蔽して天井部材の下面に取り付けられる化粧枠２１が形成されている。枠体１１の周囲には、板ばねによって構成される複数の取付ばね２２が取り付けられている。取付ばね２２は、枠体１１の側面に沿って弾性変形させた状態で枠体１１とともに天井部材の埋込孔に挿入され、天井部材の上方で側方に展開して天井部材の上面側に当接し、照明装置１０を天井部材に引き上げて保持する作用を有する。
【００１４】
枠体１１は、その上部に取り付けられた遮光部材２３を備えている。遮光部材２３は、貫通孔２０に連通する貫通孔２４が上下方向に形成されている。貫通孔２４の内壁２４ａは、反射作用を有している。遮光部材２３は、環状部２５を有し、図３に示すように、環状部２５の中心に対して対称となる２箇所に軸受部２６が形成されている。この軸受部２６は、灯体１２を水平方向に挿通する軸２７（図１に示す。）によって回動可能に支持する。そして、軸受部２６には、灯体１２を支えるとともに灯体１２の回動可能範囲を所定の範囲に規制する支持部２８が形成されている。環状部２５の軸受部２６よりも一側には、枠体１１の貫通孔２０の一部を覆うように遮光部２９が上方に突設されている。遮光部２９の内壁（内面）２４ａは、軸受部２６を中心または軸受部２６付近を中心とした略球面に形成されている。そして、環状部２５は、枠体１１に取り付けられた複数の押え金具３０によって枠体１１に取り付けられている。
【００１５】
遮光部材２３は、枠体１１の上部において、水平方向で右回りまたは左回りに０〜３５５°回動可能となっている。遮光部材２３および枠体１１には、水平方向の回動範囲を設定する規制部および被規制部が設けられている。
【００１６】
なお、本実施形態において、遮光部材２３は、枠体１１の一部を構成しているものであり、遮光部材２３の貫通孔２４は、枠体１１の貫通孔２０の一部となっているものである。
【００１７】
灯体１２は、図１に示すように、光源としての発光モジュール４０およびこの発光モジュール４０を収容した筐体４１を有している。
【００１８】
発光モジュール４０は、基板４３およびこの基板４３の表面に形成された発光部４４を備えている。発光部４４は、発光素子を備えている。例えば、発光モジュール４０は、基板４３に発光素子としての複数のＬＥＤを実装し、蛍光体を含有した透明樹脂によって複数のＬＥＤを封止したＣＯＢモジュールによって構成されている。発光素子としては、ＬＥＤに限らず、有機ＥＬ等の他の発光素子を用いてもよい。
【００１９】
筐体４１は、円筒形の外形状に形成され、枠体１１の貫通孔２０内に水平方向の軸２７によって回動可能に支持されている。筐体４１は、上面側に放熱体４６を備え、下面側に反射体４７、レンズ４８およびレンズ押え４９を備えている。
【００２０】
放熱体４６の下部両側には、図３に示すように、放熱体４６の中心に対して対称となる２箇所に軸部５１が突出形成されている。軸部５１は、軸受部２６の支持部２８に載って回動可能に支持され、軸受部２６を挿通する軸２７が挿入されて結合され、その軸２７を中心に回動可能に支持されている。軸部５１には、支持部２８の端部との当接によって灯体１２の回動可能範囲を所定の範囲に規制するストッパ部５２が形成されている。
【００２１】
本実施形態において、ストッパ部５２により、灯体１２の回動範囲は、鉛直方向で０〜４５°となっている。また、灯体１２は、遮光部材２３が枠体１１の上部で回動することにより、水平方向で０〜３５５°の回動範囲で回動可能となっている。なお、枠体１１と灯体１２との間には、灯体１２が回動するための隙間が形成されている。
【００２２】
放熱体４６の上部には、複数の放熱フィン５３が立設されている。放熱フィン５３は、放熱体４６の中心から３方向に向けてそれぞれ平行に配列されている。遮光部２９に対向する放熱フィン５３には、隣接する放熱フィン５３の外側部間に閉塞部５４が形成されている。そして、隣接する放熱フィン５３と閉塞部５４との間に配線空間５５が形成されている。また、放熱体４６の下部周辺部には、図１に示すように、フランジ部５６が突設され、フランジ部５６に複数のねじ挿通孔５７が形成されている。
【００２３】
反射体４７は、上下に開口する筒状に形成されている。反射体４７の内周面には、照射方向に拡開する反射面５９が形成されている。反射体４７は、発光モジュール４０の基板４３を放熱体４６に押し付けた状態で放熱体４６に取り付けられている。
【００２４】
レンズ４８は、例えばアクリル樹脂やガラス等で円板状に形成されている。レンズ押え４９は、上下に開口する円筒状に形成され、レンズ４８を保持している。そして、レンズ押え４９の上部側が反射体４７の周囲に配置されるとともにレンズ４８を反射体４７との間に挟み込み、放熱体４６のねじ挿通孔５７を挿通するねじで放熱体４６に取り付けられている。
【００２５】
そして、灯体１２の下部側、すなわちレンズ４８やレンズ押え４９の下面開口付近は、発光モジュール４０からの光を出射する光出射部６１として構成されている。
【００２６】
第１のパッキン１３は、遮光部材２３の貫通孔２４の内壁２４ａに設けられている。また、第１のパッキン１３は、貫通孔２４の上下方向に対する周回に亘って設けられている。本実施形態では、第１のパッキン１３は、貫通孔２４の内壁２４ａの上部側に帯状に設けられているとともに、遮光部材２３から上方に突出しないように設けられている。なお、第１のパッキン１３は、遮光部材２３から上方に突出するように設けられてもよく、遮光部材２３の下方の枠体１１の貫通孔２０に延在するように設けられていてもよい。
【００２７】
そして、第１のパッキン１３は、例えばシリコーン樹脂やゴム等の材料で形成され、本実施形態では、弾性変形可能な材料で所定の厚さに形成されている。第１のパッキン１３は、接着剤により貫通孔２４の内壁２４ａに固着されている。
【００２８】
第２のパッキン１４は、灯体１２に設けられている。第２のパッキン１４は、略リング状の底部１５およびこの底部１５から立ち上がる側壁部１６を有する。側壁部１６は、底部１５の中心を通る中心線の両側が遮光部材２３の遮光部２９に沿う略球面の形状となるように形成されている。
【００２９】
そして、第２のパッキン１４は、その底部１５が放熱体４６のフランジ部５６の下面に装着され、フランジ部５６のねじ挿通孔５７に挿通されてレンズ押え４９に螺着されるねじにより、放熱体４６に共締め固定されている。底部１５は、周回方向で等間隔の３箇所で放熱体４６に固定されている。このとき、第２のパッキン１４は、底部１５の中心を通る中心線が灯体１２の水平方向の軸２７に沿うようにして灯体１２に設けられている。また、第２のパッキン１４は、放熱フィン５３の基端側５３ａと側壁部１６との間に隙間が形成されるように灯体１２に設けられている。
【００３０】
そして、側壁部１６は、灯体１２の水平方向の軸２７による回動範囲において、第１のパッキン１３に密接するとともに、遮光部材２３から上方に突出する大きさに形成されている。第２のパッキン１４は、第１のパッキン１３と同様に、例えばシリコーン樹脂やゴム等の材料で一定の厚さに形成され、少なくとも灯体１２の回動範囲において第１のパッキン１３に密接するように形成されている。なお、第２のパッキン１４は、剛性の材料または弾性変形の材料のいずれで形成されてもよいが、大小の強度に係わらず弾性変形の材料で形成されるのが好ましい。
【００３１】
第２のパッキン１４は、灯体１２の回動範囲において、第１のパッキン１３に密接することにより、遮光部材２３および枠体１１と、灯体１２との隙間を第１のパッキン１３とともに塞いでいる。
【００３２】
そして、本実施形態の照明装置１０は、図３に示すように、電源ユニット７１を備えている。電源ユニット７１は、灯体１２とは別に例えば天井部材上に設置され、図１に示すように、電源線８０によって灯体１２の発光モジュール４０と電気的に接続される。そして、電源ユニット７１は、交流電力を所定の直流電力に変換して発光モジュール４０に供給し、発光部４４を発光させる。
【００３３】
電源線８０は、放熱体４６の上方から配線空間５５を通じて発光モジュール４０に電気的に接続される。配線空間５５に通される電源線８０の中間部は、保持具によって放熱体４６の上部に保持されている。
【００３４】
次に、本実施形態の作用について述べる。
【００３５】
電源ユニット７１に交流電源が投入されると、電源ユニット７１から供給される直流電力により、発光モジュール４０の発光部４４が発光するとともに発熱する。発光部４４からの光は、光出射部６１から直下方向の外部空間に出射され、床面側を照明する。
【００３６】
発光部４４に発生した熱は、発光モジュール４０から筐体４１に熱伝導し、筐体４１から放熱体４６の複数の放熱フィン５３に熱伝導して、放熱フィン５３から天井部材の裏側の外部空間に放出される。ここで、放熱フィン５３の基端側５３ａは、筐体４１から迅速に熱伝導されるので、温度上昇して近傍の空気に放熱する。空気は、温度上昇することにより、放熱フィン５３の先端側に上昇していき、放熱フィン５３に沿う気流となる。
【００３７】
そして、放熱フィン５３の基端側５３ａと第２のパッキン１４との間に隙間が形成されるように灯体１２に第２のパッキン１４が設けられているので、灯体１２の外部空間の空気は、放熱体４６の軸部５１側から第２のパッキン１４の内側に流入し、各放熱フィン５３の基端側５３ａに流れる。こうして、放熱フィン５３に対する通気が行われるので、発光部４４に発生した熱は、放熱フィン５３から迅速に放熱される。これにより、発光部４４の温度上昇が抑制されて、発光部４４は、長寿命化されるとともに、所定の性能の発光が行える。
【００３８】
照明装置１０は、作業者が枠体１１の貫通孔２０から手を挿入して灯体１２の筐体４１を押圧することにより、灯体１２が鉛直方向で０〜４５°の回動範囲で回動される。図１は、灯体１２の光出射部６１を直下方向に向けて、灯体１２の照射方向を直下方向とした状態を示している。この状態では、発光モジュール４０の発光部４４からの光は、直下方向に照射される配光となる。また、図２は、図１に示す状態から灯体１２の照射方向を４５°回動させた状態を示している。この状態では、発光モジュール４０の発光部４４からの光は、斜め４５°方向に照射される配光となる。灯体１２を４５°回動させた状態であっても、遮光部材２３の遮光部２９が灯体１２の光出射部６１の上部側を覆っているので、発光部４４からの光が天井部材の裏側に漏れなくなる。
【００３９】
そして、第２のパッキン１４は、灯体１２の回動範囲（０〜４５°）において、その側壁部１６が遮光部材２３から上方に突出するように設けられているので、灯体１２の照射方向を直下方向とした状態および灯体１２の照射方向を斜め４５°方向とした状態のいずれであっても、第１のパッキン１３と第２のパッキン１４とが密接する。また、第２のパッキン１４は、灯体１２を回動させているときであっても、第１のパッキン１３と弾性的に密接して、第１のパッキン１３上を移動（摺動）する。これにより、少なくとも灯体１２の回動範囲において、遮光部材２３および枠体１１と、灯体１２との間の隙間が第１および第２のパッキン１３，１４により塞がれる。天井部材の裏側の塵や埃などは、第１および第２のパッキン１３，１４により捕獲される。枠体１１と灯体１２との間の隙間を通じて塵や埃などが放散または落下することが防止される。
【００４０】
仮に、第２のパッキン１４の側壁部１６が遮光部材２３から上方に突出していないと、灯体１２を鉛直方向で回動させているときに、側壁部１６の開口端（先端）が第１のパッキン１３や遮光部材２３の内壁２４ａに引っ掛かることがある。これにより、灯体１２の回動に障害が生じて、所望の角度に調整ができないおそれがある。また、側壁部１６は、撓んだり、変形などして、第１のパッキン１３との密接が損なわれて、第１のパッキン１３との間に隙間が生じることがある。
【００４１】
そして、本実施形態において、第１および第２のパッキン１３，１４は、少なくとも一方が弾性を有して密接するので、灯体１２を回動範囲内でいずれの角度にも回動させることができるとともに、いずれの角度に回動させた場合においても、第１および第２のパッキン１３，１４が密接して、遮光部材２３および枠体１１と、灯体１２との間の隙間が塞がれる。
【００４２】
本実施形態の照明装置１０によれば、灯体１２の鉛直方向の回動範囲において、第１および第２のパッキン１３，１４が密接するので、枠体１１と灯体１２との間の隙間が塞がれて、天井部材の裏側から枠体１１と灯体１２との間の隙間を通じて塵や埃などの放散または落下を防止できるという効果を有する。
【００４３】
また、第１および第２のパッキン１３，１４の少なくとも一方が弾性を有して密接するので、灯体１２を回動範囲内でいずれの角度にも回動させても、第１および第２のパッキン１３，１４が密接し、枠体１１と灯体１２との間の隙間を塞ぐことができるという効果を有する。
【００４４】
そして、灯体１２は、筐体４１に設けられた放熱フィン５３の基端側５３ａが第２のパッキン１４との間に隙間を有しているので、放熱フィン５３に対して灯体１２の外部空間からの通気が行われるので、発光モジュール４０の発光部４４に発生した熱を放熱フィン５３から迅速に放熱させることができるという効果を有する。
【００４５】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４６】
１０…照明装置、  １１…枠体、  １２…灯体、  １３…第１のパッキン、  １４…第２のパッキン、  ２０，２４…貫通孔、  ４０…光源としての発光モジュール、  ４１…筐体、  ５３…放熱フィン、  ６１…光出射部
【図１】
2016126836.tif 000003
【図２】
2016126836.tif 000004
【図３】
2016126836.tif 000005